(57)【特許請求の範囲】
【請求項１】
並べて設けられた第１表示装置及び第２表示装置を制御する表示制御装置であり、
第１イベントに関する情報を前記第１表示装置に表示する第１表示部と、
前記第１イベントの後に起こる第２イベントに関する情報を前記第２表示装置に表示する第２表示部と、
前記第１イベントが起こる時刻の所定の時間前になると、前記第１表示装置のバックライトの輝度を予め定められた標準輝度よりも高くするとともに、前記第２表示装置のバックライトの輝度を前記標準輝度よりも低くする輝度制御部と
を備えることを特徴とする表示制御装置。
【請求項２】
前記輝度制御部は、前記第１表示装置のバックライトの輝度を予め定められた標準輝度よりも高くした後、予め定められた第１時間が経過すると、前記第１表示装置のバックライトの輝度を前記標準輝度まで徐々に下げ、前記第１表示装置のバックライトの輝度が前記標準輝度になると再び前記第１表示装置のバックライトの輝度を高くする
ことを特徴とする請求項１に記載の表示制御装置。
【請求項３】
前記第１表示部は、所定の乗り場から出発する乗物のうち所定の第１便の出発を前記第１のイベントとして、前記第１便の出発に関する情報を表示し、
前記第２表示部は、前記乗物のうち前記第１便の後に出発する第２便の出発を前記第２のイベントとして、前記第２便の出発に関する情報を表示し、
前記輝度制御部は、前記第１便の出発時刻の所定の時間前になると、前記第１表示装置のバックライトの輝度を予め定められた標準輝度よりも高くするとともに、前記第２表示装置のバックライトの輝度を前記標準輝度よりも低くする
ことを特徴とする請求項１又は２に記載の表示制御装置。
【請求項４】
前記第１表示装置及び前記第２表示装置は、前記乗り場から出発する乗物の出発を待つ待合場に設置された
ことを特徴とする請求項３に記載の表示制御装置。
【請求項５】
前記第１表示部は、前記第１便の出発時刻の所定の時間前になると、前記第１便への乗り込みが開始されたことを示す情報を前記第１表示装置に表示する
ことを特徴とする請求項３又は４に記載の表示制御装置。
【請求項６】
並べて設けられた第１表示装置及び第２表示装置を制御する表示制御プログラムであり、
第１イベントに関する情報を前記第１表示装置に表示する第１表示処理と、
前記第１イベントの後に起こる第２イベントに関する情報を前記第２表示装置に表示する第２表示処理と、
前記第１イベントが起こる時刻の所定の時間前になると、前記第１表示装置のバックライトの輝度を予め定められた標準輝度よりも高くするとともに、前記第２表示装置のバックライトの輝度を前記標準輝度よりも低くする輝度制御処理と
を備えることを特徴とする表示制御プログラム。
【発明の詳細な説明】
【技術分野】
【０００１】
この発明は、表示装置のバックライトの輝度を制御する技術に関する。
【背景技術】
【０００２】
例えば、空港の搭乗口付近には、第１表示装置と第２表示装置との２つの表示装置が並べて設けられている。そして、第１表示装置には、次に出発する第１便の情報が表示され、第２表示装置には、第１便の次に出発する第２便の情報が表示される。これより、第１便と第２便との乗客は、その搭乗口から第１便、第２便が出発することを認識し、その搭乗口付近で搭乗開始を待つ。
第１便の出発時刻が近づくと第１便への搭乗が開始され、第１表示装置には、第１便への搭乗が開始されたことが表示される。すると、第１便の乗客が搭乗し始める。しかし、この際、第１便の乗客だけでなく、誤って第２便の乗客も搭乗しようとする場合がある。このように、誤った乗客が搭乗しようとすると、搭乗口が混雑し、搭乗手続きに時間がかかってしまう。
【０００３】
なお、同様の状況は、空港の場合に限らず、駅、フェリー乗り場等の他の乗り物の乗り場でも発生し得る。また、１つの会場で異なる映画や芝居等のイベントが順番に実施される場合には、映画館、劇場等のイベント会場のロビー等の会場への入場を待つ場所でも発生し得る。
【０００４】
特許文献１には、複数の表示装置から構成されるマルチＴＶシステムにおいて、ユーザの操作に基づきユーザが注目している表示装置をマスタ装置として特定し、マスタ装置の画素の輝度を他の装置の画素の輝度よりも高くすることについての記載がある。
【先行技術文献】
【特許文献】
【０００５】
【特許文献１】特開２００７−１３４７９８号公報
【発明の概要】
【発明が解決しようとする課題】
【０００６】
上述した空港の状況は、第２便の情報を見ている乗客が、第１表示装置に表示された情報を第２便の情報であると勘違いしたために発生していると考えられる。この場合、第１表示装置のバックライトの輝度を高くして、第１表示装置に表示された情報を目立つようにしても、状況は変わらず、誤って第２便の乗客も搭乗しようとすると考えられる。
この発明は、複数の表示装置が並べて設けられ、各表示装置に異なるイベントの情報が表示されている場合に、あるイベントの情報を見ているユーザに、他のイベントに関する情報を誤って伝えないようにすることを目的とする。
【課題を解決するための手段】
【０００７】
この発明に係る表示制御装置は、
並べて設けられた第１表示装置及び第２表示装置を制御する表示制御装置であり、
第１イベントに関する情報を前記第１表示装置に表示する第１表示部と、
前記第１イベントの後に起こる第２イベントに関する情報を前記第２表示装置に表示する第２表示部と、
前記第１イベントが起こる時刻の所定の時間前になると、前記第１表示装置のバックライトの輝度を予め定められた標準輝度よりも高くするとともに、前記第２表示装置のバックライトの輝度を前記標準輝度よりも低くする輝度制御部と
を備えることを特徴とする。
【発明の効果】
【０００８】
この発明に係る表示制御装置は、第１表示装置の輝度を標準輝度よりも高くするだけでなく、第２表示装置の輝度を標準輝度よりも低くする。第１表示装置を明るくすることで、元々第１表示装置を見ていたユーザに、情報を見るタイミングであることを伝えることができる。また、第２表示装置を暗くすることで、元々第２表示装置を見ていたユーザに、情報を見るタイミングではないことを伝えることができる。その結果、元々第２表示装置を見ていた、つまり、第２イベントに関する情報を見ていたユーザに、第１イベントに関する情報が誤って伝わりづらくなる。
【図面の簡単な説明】
【０００９】
【図１】実施の形態１に係る表示制御装置１００の機能の概要を説明するための図。
【図２】実施の形態１に係る表示制御装置１００の機能構成を示すブロック図。
【図３】実施の形態１に係る表示制御装置１００の動作の流れを示すフローチャート。
【図４】実施の形態１における第１表示装置１０と第２表示装置２０とのバックライトの輝度の変化を示す図。
【図５】実施の形態２に係る表示制御装置１００の動作の流れを示すフローチャート。
【図６】実施の形態２における第１表示装置１０と第２表示装置２０とのバックライトの輝度の変化を示す図。
【図７】表示制御装置１００のハードウェア構成の一例を示す図。
【発明を実施するための形態】
【００１０】
実施の形態１．
実施の形態１では、空港の搭乗口付近に第１表示装置１０と第２表示装置２０とが並べて設けられている場合を例として説明する。
【００１１】
図１は、実施の形態１に係る表示制御装置１００の機能の概要を説明するための図である。
図１（ａ）に示すように、第１表示装置１０には、次に出発する第１便の情報が表示され、第２表示装置２０には、第１便の次に出発する第２便の情報が表示される。第１表示装置１０と第２表示装置２０との輝度は、いずれも予め定められた標準輝度になっている。
これにより、第１便と第２便との乗客は、その搭乗口から第１便、第２便が出発することを認識し、その搭乗口付近で出発を待つ。
【００１２】
図１（ｂ）に示すように、第１便の出発時刻の所定の時間前（例えば、３０分前）になると、第１便の搭乗が開始され、第１表示装置１０には、搭乗が開始されたことが表示される。そして、第１表示装置１０のバックライトの輝度は、標準輝度より高い第１輝度に設定され、第２表示装置２０のバックライトの輝度は、標準輝度より低い第２輝度に設定される。なお、第２輝度は、例えば、画面が暗いと乗客が感じる程度の輝度である。第１輝度、第２輝度及び標準輝度は、最大出力に対する出力の割合で定めることができる。例えば、第１輝度は、最大出力に対して９０％、第２輝度は最大出力に対して５０％、標準輝度は最大出力に対して７０％と定め、記憶装置に記憶する。
第１表示装置１０のバックライトの輝度が高くなったため、第１表示装置１０に表示された情報は目立つようになる。そのため、第１表示装置１０に表示された、第１便の搭乗開始の情報に第１便の乗客が気づきやすくなる。
一方、第２表示装置２０のバックライトの輝度が低くなる。特に、第２表示装置２０のバックライトの輝度は、画面が暗いと感じる程度の輝度に設定される。そのため、元々第２表示装置２０を見ていた第２便の乗客には、搭乗開始は第２便についてではないことに気づきやすくなる。
【００１３】
図２は、実施の形態１に係る表示制御装置１００の機能構成を示すブロック図である。
表示制御装置１００は、表示情報記憶部１１０、第１表示部１２０、第２表示部１３０、時刻判定部１４０、輝度制御部１５０を備える。
表示情報記憶部１１０は、第１表示装置１０と第２表示装置２０とが設けられた搭乗口から出発する便の便名、出発時刻、航空会社名、到着地等を示すフライトスケジュールを記憶する記憶装置である。第１表示部１２０は、次に出発する第１便の情報を表示情報記憶部１１０から取得して、第１表示装置１０に表示させる。第２表示部１３０は、第１便の次に出発する第２便の情報を表示情報記憶部１１０から取得して、第２表示装置２０に表示させる。時刻判定部１４０は、現在時刻が第１便の出発時刻の所定の時間前になったか否かを処理装置により判定する。輝度制御部１５０は、第１表示装置１０と第２表示装置２０とバックライトの輝度を処理装置により制御する。
なお第１表示部１２０及び第２表示部１３０は、表示情報記憶部１１０から情報を取得して表示するだけでなく、入力装置を用いて、空港の搭乗口付近に在する係員から受け付けた情報を第１表示装置１０および第２表示装置２０に表示することもできる。
【００１４】
図３は、実施の形態１に係る表示制御装置１００の動作の流れを示すフローチャートである。
（Ｓ１１：表示処理）
第１表示部１２０は、次に出発する第１便の情報を表示情報記憶部１１０から取得して、第１表示装置１０に表示し、第２表示部１３０は、第１便の次に出発する第２便の情報を表示情報記憶部１１０から取得して、第２表示装置２０に表示する。
あるいは、第１表示部１２０は、係員が入力した情報を第１表示装置１０に表示する。また第２表示部１３０は、係員が入力した情報を第２表示装置２０に表示する。
（Ｓ１２：時刻判定処理）
時刻判定部１４０は、表示情報記憶部１１０が記憶した第１便の出発時刻を参照して、現在時刻が第１便の出発時刻の所定の時間前になったか否かを判定する。
第１便の出発時刻の所定の時間前になったと判定した場合（Ｓ１２でＹＥＳ）、処理をＳ１３へ進める。一方、第１便の出発時刻の所定の時間前になっていないと判定した場合（Ｓ１２でＮＯ）、一定時間経過後、再びＳ１２の処理を実行する。
またＳ１２の処理で、係員から搭乗を開始する旨の情報を受け付けると処理をＳ１３へ進める。
（Ｓ１３：表示変更処理）
第１表示部１２０は、搭乗が開始されたことを示す情報を加えた情報を第１表示装置１０に表示する。
（Ｓ１４：輝度制御処理）
輝度制御部１５０は、第１表示装置１０のバックライトの輝度を標準輝度よりも高い第１輝度に設定するとともに、第２表示装置２０のバックライトの輝度を標準輝度よりも低い第２輝度に設定する。
具体的には、前述したように、最大出力に対する割合で定められる第１輝度及び第２輝度になるように、輝度制御部１５０は記憶装置に記憶された第１輝度及び第２輝度を参照して、第１表示装置１０及び第２表示装置２０のバックライト輝度を調整する。
【００１５】
Ｓ１１の処理で通常、第１表示部１２０及び第２表示部１３０は、表示情報記憶部１１０が情報を取得して情報を表示するように動作するが、適宜入力装置からの情報入力を可能とする。そのような構成を用いた係員からの入力処理により、突発的な第１便及び第２便の便変更情報を乗客に通知することができる。
またＳ１２の処理で、係員からの入力処理により、Ｓ１３へ処理を進めるように構成することにより、混雑具合等を考慮して係員の裁量で搭乗開始の表示と、輝度制御処理を行うことができる。なお係員からの入力処理は、操作画面（図示せず）に「搭乗開始」ボタンを設定し、「搭乗開始」ボタンが押下（またはタッチ）されると、「搭乗開始」メッセージが表示され（Ｓ１３）、続けて輝度制御処理（Ｓ１４）が実行させるように構成すればよい。
なお、第１便が出発した後、あるいは、第１便の搭乗が終了した後、再びＳ１１の処理が実行される。この場合、第２便として表示されていた便が第１便となり、その次に出発する便が第２便となる。
【００１６】
図４は、実施の形態１における第１表示装置１０と第２表示装置２０とのバックライトの輝度の変化を示す図である。
初めに、第１表示装置１０と第２表示装置２０とのバックライトは、標準輝度に設定される。第１便の出発時刻の所定の時間前になると、第１表示装置１０のバックライトの輝度は第１輝度に設定され、第２表示装置２０のバックライトの輝度は第２輝度に設定される。そして、第１便が出発すると、あるいは、第１便の搭乗が終了すると、第１表示装置１０と第２表示装置２０とのバックライトは、再び標準輝度に設定される。
【００１７】
以上のように、実施の形態１に係る表示制御装置１００は、先に出発する第１便の出発時刻が近づき、搭乗が開始されると、第１表示装置１０のバックライトの輝度を高くし、第２表示装置２０のバックライトの輝度を低くする。これにより、第１便の乗客に搭乗が開始されたことをより確実に伝えるとともに、第２便の乗客に搭乗が開始されたと勘違いさせることを防止できる。
なお、第２表示装置２０を暗くするのではなく、第２表示装置２０の表示を消してしまう、あるいは、第１表示装置１０と同じ情報を表示してしまうこと等も考えられる。しかし、第２表示装置２０に表示した第２便の情報を消してしまうと、第２便の情報が消えている間に搭乗口に到着した乗客が、第２便の搭乗口がその搭乗口でよいか迷ってしまう恐れがある。これに対して、輝度が低いながらも第２便の情報を表示しておくことで、第２便の搭乗口がその搭乗口であることを確認することができる。
【００１８】
実施の形態２．
実施の形態２では、第１表示装置１０の表示をさらに目立たせる方法について説明する。
実施の形態２では、表示制御装置１００について、実施の形態１に係る表示制御装置１００と異なる部分を中心に説明する。
【００１９】
実施の形態２に係る表示制御装置１００の機能の概要を説明する。
実施の形態１と同様に、第１便の出発時刻の所定の時間前になると、第１表示装置１０のバックライトの輝度が第１輝度に設定される。これにより、第１表示装置１０のバックライトの輝度が高くなったため、第１表示装置１０に表示された第１便の情報は目立つ状態である。しかし、単に第１表示装置１０が明るいだけでは、乗客の目を引く（アイキャッチ）効果はあまりない。乗客の目を引くのは、例えば、第１表示装置１０が明るくなった瞬間である。
そこで、第１表示装置１０のバックライトの輝度が第１輝度に設定されてから、予め定められた第１時間（例えば、５分）経過したら、第１表示装置１０のバックライトの輝度を、例えば１分程度かけて徐々に標準輝度まで下げていく。そして、第１表示装置１０のバックライトの輝度が標準輝度になったら、再び第１表示装置１０のバックライトの輝度を第１輝度に設定する。これにより、一定時間毎に第１表示装置１０のバックライトが明るくなり、その瞬間に乗客の目を引くことができる。その結果、第１便の乗客に搭乗の開始を認識させることができる。
【００２０】
実施の形態２に係る表示制御装置１００の機能構成は、図２に示す実施の形態１に係る表示制御装置１００の機能構成と同一である。そのため、説明を省略する。
【００２１】
図５は、実施の形態２に係る表示制御装置１００の動作の流れを示すフローチャートである。
Ｓ２１からＳ２４までの処理は、図３に示すＳ１１からＳ１４までの処理と同一であるため、説明を省略する。
（Ｓ２５：経過時間判定処理）
時刻判定部１４０は、輝度制御部１５０が第１表示装置１０のバックライトの輝度を第１輝度に設定してから、第１時間が経過したか否かを判定する。
第１時間が経過したと判定した場合（Ｓ２５でＹＥＳ）、処理をＳ２６へ進める。一方、第１時間が経過していないと判定した場合（Ｓ２５でＮＯ）、一定時間経過後、再びＳ２５の処理を実行する。
（Ｓ２６：第２輝度制御処理）
輝度制御部１５０は、第１表示装置１０のバックライトの輝度を、徐々に標準輝度まで下げていく。標準輝度と一致するまでの輝度低下率は、時間に対する出力の割合の変化で定める。例えば輝度低下率は、２０秒毎に最大出力に対する出力を５％ずつ下げると定め、記憶装置に記憶する。輝度制御部１５０は、記憶装置に記憶された輝度低下率を参照し、輝度低下率に基づき輝度を低下させ、そして、第１表示装置１０のバックライトが標準輝度になったら、再び第１表示装置１０のバックライトの輝度を第１輝度に設定する。
第１表示装置１０のバックライトの輝度を第１輝度に設定すると、処理をＳ２５へ戻す。
【００２２】
図６は、実施の形態２における第１表示装置１０と第２表示装置２０とのバックライトの輝度の変化を示す図である。
実施の形態１と同様に、初めに、第１表示装置１０と第２表示装置２０とのバックライトは、標準輝度に設定される。第１便の出発時刻の所定の時間前になると、第１表示装置１０のバックライトの輝度は第１輝度に設定され、第２表示装置２０のバックライトの輝度は第２輝度に設定される。
第１表示装置１０のバックライトの輝度は、第１輝度に設定された後、第１時間が経過すると、徐々に標準輝度まで下げられ、標準輝度になったら、再び第１輝度に設定されるという処理が繰り返される。
その後、第１便が出発すると、あるいは、第１便の搭乗が終了すると、第１表示装置１０と第２表示装置２０とのバックライトは、再び標準輝度に設定される。
【００２３】
以上のように、実施の形態２に係る表示制御装置１００は、一旦高くした第１表示装置１０のバックライトの輝度を徐々に下げ、再び高くするという処理を行う。
これにより、バックライトの輝度を高くした瞬間に、乗客の目を引くことができ、第１表示装置１０に表示した情報を乗客に認識させることができる。
【００２４】
なお、上記説明では、第１便が出発した場合、あるいは、第１便の搭乗が終了した場合、第１表示装置１０と第２表示装置２０とのバックライトは、再び標準輝度に設定されると説明した。
しかし、上記説明では、第１便が出発した場合、あるいは、第１便の搭乗が終了した場合、第１表示装置１０と第２表示装置２０との表示を切り替えるとともに、第１表示装置１０と第２表示装置２０とのバックライトを、一旦標準輝度よりも低い輝度に設定し、その後標準輝度に設定してもよい。第１表示装置１０と第２表示装置２０とを一旦暗くした後、明るくすることで、乗客の目を引くことができる。
つまり、表示する情報の切り替え時には一旦バックライトの輝度を下げ、その後、バックライトの輝度を上げてもよい。
【００２５】
また、上記説明では、第１表示装置１０のバックライトの輝度は徐々に標準輝度まで下げられ、再び第１輝度に設定されると説明した。しかし、第１表示装置１０に表示している情報の種類によって、徐々に標準輝度まで下げられ、再び第１輝度に設定する処理を行うか否かを切り替えるようにしてもよい。
また例えば、動画の場合には、再生中に途中から徐々に暗くなるのは印象が良くないと考えられるため、上記処理を行わないようにしてもよい。つまり、コンテンツ情報（動画、静止画、文字情報等）毎に本実施の形態における表示制御有無を設定することができる。また、コンテンツ情報毎に第２輝度、第２輝度、第１時間を任意に設定し、記憶装置に記憶してもよい。この場合は、図５で示した、Ｓ２４の輝度制御処理の中で輝度制御部１５０は、コンテンツ毎に設定された第１輝度及び第２輝度情報を参照して、第１表示装置１０及び第２表示装置２０のバックライトの輝度を設定する。
またＳ２５の判定処理で、時刻判定部１４０は、コンテンツ毎に設定された第１時間を参照して、一定時間が経過したかどうかを判定する。
【００２６】
また、以上の実施の形態では、表示制御装置１００の技術を空港の搭乗口付近で用いる例を説明した。
しかし、表示制御装置１００の技術は、空港に限らず、駅、フェリー乗り場等の他の乗り物の乗り場に第１表示装置１０と第２表示装置２０とを設置した場合にも適用可能である。
また、表示制御装置１００の技術は、１つの会場で異なる映画や芝居等のイベントが順番に実施される場合には、映画館、劇場等のイベント会場のロビー等の会場への入場を待つ場所に第１表示装置１０と第２表示装置２０とを設置した場合にも適用可能である。この場合、例えば、先に上映される第１映画の情報を第１表示装置１０に表示し、第１映画の次に上映される第２映画の情報を第２表示装置２０に表示して、第１映画の上映開始時刻の所定の時間前になったら、第１表示装置１０の輝度を高くし、第２表示装置２０の輝度を低くすればよい。
また、表示制御装置１００の技術は、競馬場の馬券売り場や競輪場の車券売り場等に第１表示装置１０と第２表示装置２０とを設置した場合にも適用可能である。この場合、例えば、次に出走する第１レースの情報を第１表示装置１０に表示し、第１レースの次に出走する第２レースの情報を第２表示装置２０に表示して、第１レースの出走開始時刻の所定の時間前になったら、第１表示装置１０の輝度を高くし、第２表示装置２０の輝度を低くすればよい。
【００２７】
また、以上の実施の形態では、第１表示装置１０と第２表示装置２０とが横に並べられている例を説明した。しかし、横に並べられている場合に限らず、縦や斜めに並べられていても、同じ位置から第１表示装置１０と第２表示装置２０とが見えるように配置されていればよい。
【００２８】
図７は、表示制御装置１００のハードウェア構成の一例を示す図である。
図７に示すように、表示制御装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００２９】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００３０】
プログラム群９２３には、上記の説明において「第１表示部１２０」、「第２表示部１３０」、「時刻判定部１４０」、「輝度制御部１５０」等として説明した機能を実行するソフトウェアやプログラムやその他のプログラムが記憶されている。プログラムは、ＣＰＵ９１１により読み出され実行される。
ファイル群９２４には、上記の説明において「表示情報記憶部１１０」が記憶するとした情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００３１】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００３２】
１０  第１表示装置、２０  第２表示装置、１００  表示制御装置、１１０  表示情報記憶部、１２０  第１表示部、１３０  第２表示部、１４０  時刻判定部、１５０  輝度制御部。
【図１】
0005484430.tif 000002
【図２】
0005484430.tif 000003
【図３】
0005484430.tif 000004
【図４】
0005484430.tif 000005
【図５】
0005484430.tif 000006
【図６】
0005484430.tif 000007
【図７】
0005484430.tif 000008